【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
ハンドル部分と、
長手方向軸を規定し、かつ、該ハンドル部分から遠位に延びる細長部分と、
該細長部分の遠位部分に隣接して配置されたエンドエフェクタであって、該エンドエフェクタは、第一の顎部材および第二の顎部材を含み、該第一の顎部材および該第二の顎部材は、それらの間に組織をクランプするための寸法にされており、該第一の顎部材は、該長手方向軸に対して実質的に横向きの列に配置された少なくとも１列のファスナーを有する、エンドエフェクタと、
該第一の顎部材と機械的に協働して配置された第一のピンおよび第二のピンであって、各ピンは、係合セクションを含み、該第一のピンおよび該第二のピンは、第一の位置と第二の位置との間で移動可能であり、該第一の位置において、該係合セクションは、該第二の顎部材から間隔を空けており、該第二の位置において、該係合セクションは、該第二の顎部材と係合し、各ピンは、非円形の断面を有し、該第一のピンおよび該第二のピンは、互いから間隔を空けている、第一のピンおよび第二のピンと、
遠位部分と近位部分との間で移動可能なナイフであって、該ナイフは、該第一のピンと並んで終わる上縁部と、該第二のピンと並んで終わる下縁部と、該ナイフの第一の側に配置された該第一のピンの平坦な表面と、該第一の側とは反対側にある該ナイフの第二の側に配置された該第二のピンの平坦な表面とを有し、該複数のピンの該複数の平坦な表面は、互いの方に向けられている、ナイフと
を含む、外科手術用器具。
【請求項２】
２列のファスナーをさらに含み、前記ナイフは、該２列のファスナーの間に配置されている、請求項１に記載の外科手術用器具。
【請求項３】
前記複数のピンは、前記第一の顎部材および前記第二の顎部材が組織をクランプするための位置まで移動するときに、遠位方向に自動的に移動する、請求項１に記載の外科手術用器具。
【請求項４】
各ピンは、実質的にＤ字型である、請求項１に記載の外科手術用器具。
【請求項５】
前記第一のピンの前記平坦な表面は、前記ナイフの前記第一の側の方に向けられており、前記第二のピンの前記平坦な表面は、前記ナイフの前記第二の側の方に向けられている、請求項１に記載の外科手術用器具。
【請求項６】
前記ナイフの前記第一の側は、前記第一のピンおよび前記第二のピンの１つの平坦な表面に面する、請求項５に記載の外科手術用器具。
【請求項７】
各ピンの平坦な表面は、前記ナイフの方に向けられており、各ピンの半球状の部分が、前記ナイフから離れるように延びている、請求項１に記載の外科手術用器具。
【請求項８】
前記ナイフは、前記上縁部と前記下縁部との間に長手方向軸を規定し、各ピンは、各ピンの前記平坦な表面が、前記長手方向軸を越えて延びないように配置されている、請求項１に記載の外科手術用器具。
【請求項９】
ハンドル部分と、
長手方向軸を規定し、該ハンドル部分から遠位に延びる細長部分と、
該細長部分の遠位部分に隣接して配置されたエンドエフェクタであって、該エンドエフェクタは、第一の顎部材および第二の顎部材を含み、該第一の顎部材および該第二の顎部材は、それらの間に組織をクランプするための寸法にされており、該第一の顎部材は、該長手方向軸に対して実質的に横向きの列で配置された少なくとも１列のファスナーを有する、エンドエフェクタと、
該第一の顎部材と機械的に協働するように配置され、係合セクションを含む第一のピンであって、該第一のピンは、第一の位置と第二の位置との間で移動可能であり、該第一の位置において、該係合セクションは、該第二の顎部材から間隔を空けており、該第二の位置において、該係合セクションは、該第二の顎部材と係合し、該第一のピンは、Ｌ字型の断面を有する、第一のピンと、
遠位位置と近位位置との間で移動可能なナイフであって、該ナイフは、該第一のピンと並んで終わる上縁部を有し、該第一のピンの該Ｌ字型の断面は、該ナイフを収容するための寸法にされたギャップを規定する、ナイフと
を含む、外科手術用器具。
【請求項１０】
２列のファスナーをさらに含み、前記ナイフは、該２列のファスナーの間に配置されている、請求項９に記載の外科手術用器具。
【請求項１１】
前記第一のピンは、少なくとも部分的に円形の断面である、請求項９に記載の外科手術用器具。
【請求項１２】
前記第一のピンは、約２７０°の弧に形成されている、請求項１１に記載の外科手術用器具。
【請求項１３】
第二のピンをさらに含む、請求項９に記載の外科手術用器具。
【請求項１４】
前記第二のピンは、Ｌ字型の断面を含む、請求項１３に記載の外科手術用器具。
【請求項１５】
前記第一のピンおよび前記第二のピンは、該第一のピンがナイフの上部分に隣接し、該第二のピンが該ナイフの下部分に隣接して配置されるように、互いから間隔を空けている、請求項１３に記載の外科手術用器具。
【請求項１６】
前記複数のピンは、前記ナイフの両側にカットアウトを含む、請求項１５に記載の外科手術用器具。
【請求項１７】
実質的に半円形の断面を有する第二のピンをさらに含み、前記第一のピンおよび前記第二のピンのそれぞれは、実質的に平坦な表面を有し、該第二のピンの該実質的に平坦な表面は、他方のピンの実質的に平坦な表面が面する方向とは反対の方向に面する、請求項９に記載の外科手術用器具。
【請求項１８】
前記複数のピンは、前記第一の顎部材および前記第二の顎部材が組織をクランプするための位置まで移動するときに、遠位方向に自動的に移動する、請求項１３に記載の外科手術用器具。
【請求項１９】
ハンドル部分と、
長手方向軸を規定し、かつ、該ハンドル部分から遠位に延びる細長部分と、
該細長部分の遠位部分に隣接して配置されたエンドエフェクタであって、該エンドエフェクタは、第一の顎部材および第二の顎部材を含み、該第一の顎部材および該第二の顎部材は、それらの間に組織をクランプするための寸法にされており、該第一の顎部材は、該長手方向軸に対して実質的に横向きの列に配置された少なくとも１列のファスナーを有する、エンドエフェクタと、
該第一の顎部材と機械的に協働して配置され、係合セクションを含む第一のピンであって、該第一のピンは、第一の位置と第二の位置との間で移動可能であり、該第一の位置において、該係合セクションは、該第二の顎部材から間隔を空けており、該第二の位置において、該係合セクションは、該第二の顎部材と係合する、第一のピンと、
該第一のピンから間隔を空けている第二のピンであって、該第一のピンおよび該第二のピンは、それぞれがナイフに並んだ表面を有し、該第一のピンの第一の表面は、第一の方向に面しており、該第二のピンの第二の表面は、第二の反対の方向に面しており、該第一のピンは、該ナイフの上表面の方に面する第三の表面を有し、該第二のピンは、該ナイフの底表面の方に面する第四の表面を有する、第二のピンと
を含む、外科手術用器具。
【請求項２０】
前記第一の表面および前記第二の表面は、実質的に平坦である、請求項１９に記載の外科手術用器具。
【請求項２１】
前記複数のピンは、前記第一の顎部材および前記第二の顎部材が組織をクランプするための位置まで移動するときに、遠位方向に自動的に移動する、請求項１９に記載の外科手術用器具。
【請求項２２】
ハンドル部分と、
長手方向軸を規定し、かつ、該ハンドル部分から遠位に延びる細長部分と、
該細長部分の遠位部分に隣接して配置されたエンドエフェクタであって、該エンドエフェクタは、第一の顎部材および第二の顎部材を含み、該第一の顎部材および該第二の顎部材は、それらの間に組織をクランプするための寸法にされており、該第一の顎部材は、該長手方向軸に対して実質的に横向きの列に配置された少なくとも１列のファスナーを有する、エンドエフェクタと、
該第一の顎部材と機械的に協働して配置された第一のピンおよび第二のピンであって、各ピンは、係合セクションを含み、該第一のピンおよび該第二のピンは、第一の位置と第二の位置との間で移動可能であり、該第一の位置において、該係合セクションは、該第二の顎部材から間隔を空けており、該第二の位置において、該係合セクションは、該第二の顎部材と係合し、各ピンは、実質的に円形の断面を有する、第一のピンおよび第二のピンと、
遠位位置と近位位置との間で移動可能なナイフであって、該ナイフは、該第一のピンと並んで終わる上縁部と、該第二のピンと並んで終わる下縁部と、該ナイフの第一の側に配置された該第一のピンの平坦な表面と、該第一の側とは反対側にある該ナイフの第二の側に配置された該第二のピンの平坦な表面とを有し、該複数のピンの該複数の平坦な表面は、互いの方に向けられており、該第一のピンおよび該第二のピンのうちの少なくとも１つは、該ナイフを収容するための寸法にされたギャップをさらに規定する、ナイフと
を含む、外科手術用器具。
【請求項２３】
前記第一のピンは、前記ナイフの上表面の方に面する第三の表面を有し、前記第二のピンは、該ナイフの底表面の方に面する第四の表面を有する、請求項２２に記載の外科手術用器具。
【請求項２４】
前記複数のピンは、前記第一の顎部材および前記第二の顎部材が組織をクランプするための位置まで移動するときに、遠位方向に自動的に移動する、請求項２２に記載の外科手術用器具。
【請求項２５】
前記複数のピンのうちの少なくとも１つは、実質的にＬ字型の断面である、請求項２２に記載の外科手術用器具。
【請求項２６】
前記複数のピンのうちの少なくとも１つは、約２７０°の弧に形成されている、請求項２２に記載の外科手術用器具。